(57)【要約】【課題】夜間に識別が可能であり電線の位置や電線、相、回線等の視認性を向上できる蓄光型碍子並びに蓄光型端末を提供する。【解決手段】畜光型碍子並びに蓄光型端末は、少なくとも有機材料からなるひだを有し、受光エネルギーを利用した光を発する蓄光体部を備え、蓄光型碍子並びに蓄光型端末によって識別を可能とし、例えば、電線の位置や、相、回線等を判別することができる。【選択図】図４
2009230878.tif 000002
【特許請求の範囲】
【請求項１】
少なくとも有機材料からなるひだを有する碍子であって、
前記碍子は、受光エネルギーを利用した光を発する蓄光体部を有することを特徴とする蓄光型碍子。
【請求項２】
少なくとも前記ひだの表面の所定部分に、前記受光エネルギーを使用した光を発する蓄光材を塗布または貼り付けして前記蓄光体部を設けたことを特徴とする請求項１に記載の蓄光型碍子。
【請求項３】
少なくとも前記ひだの所定部分に、前記受光エネルギーを使用した光を発する蓄光材を混合して前記蓄光体部を設けたことを特徴とする請求項１または請求項２に記載の蓄光型碍子。
【請求項４】
少なくとも前記ひだの所定部分には、下層を自然色の有機材料で成型し、上層を前記受光エネルギーを使用した光を発する蓄光材を混合してなる有機材料で成型して前記蓄光体部を設けたことを特徴とする請求項１〜請求項３のいずれか１つの項に記載の蓄光型碍子。
【請求項５】
少なくとも前記ひだの所定部分を半透明あるいは透明な有機材料で成型し、
少なくとも前記ひだが最外層に被覆される心材の所定部分に、前記受光エネルギーを使用した光を発する蓄光材を配して前記蓄光体部を設けたことを特徴とする請求項１〜請求項３のいずれか１つの項に記載の蓄光型碍子。
【請求項６】
前記蓄光材の蓄光する部分の色および／または蓄光しない部分との組み合わせにより、前記蓄光型碍子又は／及び鉄塔又は／及び電線の識別を可能としたことを特徴とする請求項１〜請求項５のいずれか１つの項に記載の蓄光型碍子。
【請求項７】
前記碍子は、異常電流（電圧）が発生時に、自身に前記異常電流（電圧）が印加されるような機能を有し、架空送電線の故障を防止することを特徴とする請求項１〜請求項６のいずれか１つの項に記載の蓄光型碍子。
【請求項８】
前記碍子は、少なくとも前記ひだが最外層に被覆される心材を有し、
前記碍子は、鉄塔又は／及び電線または付属品と連結される機能と、前記蓄光体部とを有することを特徴とする請求項１〜請求項６のいずれか１つの項に記載の蓄光型碍子。
【請求項９】
前記碍子が架空送電線の相間に取りつけ、前記架空送電線又は／及び相又は／及び回線の識別を可能としたことを特徴とする請求項７に記載の蓄光型碍子。
【請求項１０】
前記碍子は、少なくとも前記ひだが最外層に被覆される心材を有し、
前記心材が中空であって、中空の状態、もしくは、前記心材の内部に所定の部材を設け、
前記蓄光体部により電線又は／及び相又は／及び回線の識別を可能としたことを特徴とする請求項１〜請求項７のいずれか１つの項に記載の蓄光型碍子。
【請求項１１】
前記蓄光型碍子は、中空の状態、もしくは、前記心材の内部に所定の部材を設け、電線や電気機器等と接続可能な機能を有することを特徴とする請求項１０に記載の蓄光型碍子。
【請求項１２】
少なくとも有機材料からなるひだを有する端末であって、
前記端末は、受光エネルギーを利用した光を発する蓄光体部を有することを特徴とする蓄光型端末。
【請求項１３】
前記蓄光型端末は、柔軟性を有する前記有機材料からなり、所定の部分に前記蓄光体部を有することを特徴とする請求項１２に記載の蓄光型端末。
【請求項１４】
少なくとも前記ひだの表面の所定部分に、前記受光エネルギーを使用した光を発する蓄光材を塗布または貼り付けして前記蓄光体部を設けたことを特徴とする請求項１２または請求項１３に記載の蓄光型端末。
【請求項１５】
少なくとも前記ひだの所定部分に、前記受光エネルギーを使用した光を発する蓄光材を混合して前記蓄光体部を設けたことを特徴とする請求項１２〜請求項１４のいずれか１つの項に記載の蓄光型端末。
【請求項１６】
少なくとも前記ひだの所定部分には、下層を自然色の有機材料で成型し、上層を前記受光エネルギーを使用した光を発する蓄光材を混合してなる有機材料で成型して前記蓄光体部を設けたことを特徴とする請求項１２〜請求項１５のいずれか１つの項に記載の蓄光型端末。
【請求項１７】
少なくとも前記ひだの所定部分を半透明あるいは透明な有機材料で成型し、
少なくとも前記ひだが最外層に被覆される心材の所定部分に、前記受光エネルギーを使用した光を発する蓄光材を配して前記蓄光体部を設けたことを特徴とする請求項１２〜請求項１６のいずれか１つの項に記載の蓄光型端末。
【請求項１８】
前記蓄光材の蓄光する部分の色および／または蓄光しない部分との組み合わせにより、前記蓄光型端末又は／及び鉄塔又は／及び電線の識別を可能としたことを特徴とする請求項１２〜請求項１７のいずれか１つの項に記載の蓄光型端末。
【請求項１９】
前記端末は、異常電流（電圧）が発生時に、自身に前記異常電流（電圧）が印加されるような機能を有し、架空送電線の故障を防止することを特徴とする請求項１２〜請求項１８のいずれか１つの項に記載の蓄光型端末。
【請求項２０】
前記蓄光型端末は、その内部に所定の部材を設けるとともに、少なくとも所定の段剥ぎをした電力ケーブルを挿入し、電線や電気機器等と接続可能とし、電線又は／及び相又は／及び回線の識別を可能とする前記蓄光体部を有することを特徴とする請求項１２〜請求項１８のいずれか１つの項に記載の蓄光型端末。
【請求項２１】
前記端末は、少なくとも前記ひだが最外層に被覆される心材を有し、
前記端末は、鉄塔又は／及び電線または付属品と連結される機能と、前記蓄光体部とを有することを特徴とする請求項１２〜請求項２０のいずれか１つの項に記載の蓄光型端末。
【請求項２２】
前記蓄光型端末は、少なくとも前記ひだが最外層に被覆される心材を有し、
前記心材が中空であって、中空の状態、もしくは、前記心材の内部に所定の部材を設け、電線や電気機器等と接続可能とし、電線又は／及び相又は／及び回線の識別を可能とする前記蓄光体部を有することを特徴とする請求項１２〜請求項２０のいずれか１つの項に記載の蓄光型端末。
【発明の詳細な説明】
【技術分野】
【０００１】
本発明は、蓄光型碍子並びに蓄光型端末に関し、特に電線や鉄塔（鉄構）に対して取り付けることにより夜間識別するための蓄光型碍子並びに蓄光型端末に関する。
【背景技術】
【０００２】
送電線には、飛行機や野鳥が衝突するおそれがあるので、この衝突を防ぐために、送電線には様々な標識が取り付けられることにより、送電線の存在を認識させることが考えられる。しかし、標識は昼間や周囲が明るい場合には識別可能であるが、薄暗くなった時には標識の認識は難しい場合がある。また、夜間に電線の位置や、相、回線等を判別することが難しい場合がある。
【０００３】
このような問題に対して、蓄光電線リングは、略円柱型のリングであり、電線把持部に対して回転可能に設けられている。この蓄光電線リングは、軸方向に送電線を把持するための貫通穴を有し、高輝度畜光顔料を含有した樹脂により形成されることが開示される（例えば、特許文献１参照）。また、強化プラスチック製のコアの外周にゴム製の外被層を形成し、コアと外被層との間に、外被層と色の異なる赤色のゴム製の表示層を設け、碍子の長期間の使用に伴い、外被層が浸食されると、その外被層とは色の異なる表示層が外部に露出して、碍子の劣化状態が明確に表示されるノンセラミック碍子が開示される。また、その他の例として、紫外線で発光する発光剤を混入して、夜間に紫外線ライトを照射して、碍子の劣化を検出できるように構成してもよいことが開示される（例えば、特許文献２参照）。
【特許文献１】特開２００７−１４１０３号公報
【特許文献２】特開平６−９６６３３号公報
【発明の開示】
【発明が解決しようとする課題】
【０００４】
ところが、特許文献１に開示されている蓄光電線リングを使用すると次のような問題がある。
送電線の点検時に作業者が電線に宙乗りする際に、使用する宙乗り機が電線を通過する時に通過の支障にならないようにするため、蓄光電線リングは形状を大きくすることができない。このため、蓄光電線リングの視認できる面積が十分確保できずに小さくなってしまい、発光しても視認が困難である。
【０００５】
また、蓄光電線リングの視認できる面積が小さいことを補うために、数多くの蓄光電線リングを送電線に取り付けた場合には、送電線の受風面積が大きくなり、鉄塔の強度に影響が生じるので、必要以上に多くの蓄光電線リングを取り付けることは望ましくない。
また、特許文献２に開示されているノンセラミック碍子は、外被層の浸食を色の異なるゴム製の表示層を設けることで劣化状態を表示させるものである。
【０００６】
そこで、本発明は上記課題を解消するために、夜間に識別が可能であり電線の位置や電線、相、回線等の視認性を向上できる蓄光型碍子並びに蓄光型端末を提供することを目的とする。
【課題を解決するための手段】
【０００７】
上記課題を解消するために、本発明の蓄光型碍子は、少なくとも有機材料からなるひだを有する碍子であって、
前記碍子は、受光エネルギーを利用した光を発する蓄光体部を有することを特徴とする。
【０００８】
また、蓄光型碍子は、少なくとも前記ひだの表面の所定部分に、前記受光エネルギーを使用した光を発する蓄光材を塗布または貼り付けして前記蓄光体部を設けたことを特徴とする。
【０００９】
また、蓄光型碍子は、少なくとも前記ひだの所定部分に、前記受光エネルギーを使用した光を発する蓄光材を混合して前記蓄光体部を設けたことを特徴とする。
【００１０】
また、蓄光型碍子は、少なくとも前記ひだの所定部分には、下層を自然色の有機材料で成型し、上層を前記受光エネルギーを使用した光を発する蓄光材を混合してなる有機材料で成型して前記蓄光体部を設けたことを特徴とする。
【００１１】
また、蓄光型碍子は、少なくとも前記ひだの所定部分を半透明あるいは透明な有機材料で成型し、少なくとも前記ひだが最外層に被覆される心材の所定部分に、前記受光エネルギーを使用した光を発する蓄光材を配して前記蓄光体部を設けたことを特徴とする。
【００１２】
また、蓄光型碍子は、前記蓄光材の蓄光する部分の色および／または蓄光しない部分との組み合わせにより、前記蓄光型碍子又は／及び鉄塔又は／及び電線の識別を可能としたことを特徴とする。
【００１３】
また、蓄光型碍子は、異常電流（電圧）が発生時に、自身に前記異常電流（電圧）が印加されるような機能を有し、架空送電線の故障を防止することを特徴とする。
【００１４】
また、蓄光型碍子は、少なくとも前記ひだが最外層に被覆される心材を有し、前記碍子は、鉄塔又は／及び電線または付属品と連結される機能と、前記蓄光体部とを有することを特徴とする。
【００１５】
また、蓄光型碍子は、架空送電線の相間に取りつけ、前記架空送電線又は／及び相又は／及び回線の識別を可能としたことを特徴とする。
【００１６】
また、蓄光型碍子は、少なくとも前記ひだが最外層に被覆される心材を有し、前記心材が中空であって、中空の状態、もしくは、前記心材の内部に所定の部材を設け、前記蓄光体部により電線又は／及び相又は／及び回線の識別を可能としたことを特徴とする。
【００１７】
また、蓄光型碍子は、中空の状態、もしくは、前記心材の内部に所定の部材を設け、電線や電気機器等と接続可能な機能を有することを特徴とする。
【００１８】
本発明の蓄光型端末は、少なくとも有機材料からなるひだを有する端末であって、
前記端末は、受光エネルギーを利用した光を発する蓄光体部を有することを特徴とする。
【００１９】
また、蓄光型端末は、柔軟性を有する前記有機材料からなり、所定の部分に前記蓄光体部を有することを特徴とする。
【００２０】
また、蓄光型端末は、少なくとも前記ひだの表面の所定部分に、前記受光エネルギーを使用した光を発する蓄光材を塗布または貼り付けして前記蓄光体部を設けたことを特徴とする。
【００２１】
また、蓄光型端末は、少なくとも前記ひだの所定部分に、前記受光エネルギーを使用した光を発する蓄光材を混合して前記蓄光体部を設けたことを特徴とする。
【００２２】
また、蓄光型端末は、少なくとも前記ひだの所定部分には、下層を自然色の有機材料で成型し、上層を前記受光エネルギーを使用した光を発する蓄光材を混合してなる有機材料で成型して前記蓄光体部を設けたことを特徴とする。
【００２３】
また、蓄光型端末は、少なくとも前記ひだの所定部分を半透明あるいは透明な有機材料で成型し、少なくとも前記ひだが最外層に被覆される心材の所定部分に、前記受光エネルギーを使用した光を発する蓄光材を配して前記蓄光体部を設けたことを特徴とする。
【００２４】
また、蓄光型端末は、前記蓄光材の蓄光する部分の色および／または蓄光しない部分との組み合わせにより、前記蓄光型端末又は／及び鉄塔又は／及び電線の識別を可能としたことを特徴とする。
【００２５】
また、蓄光型端末は、異常電流（電圧）が発生時に、自身に前記異常電流（電圧）が印加されるような機能を有し、架空送電線の故障を防止することを特徴とする。
【００２６】
また、蓄光型端末は、その内部に所定の部材を設けるとともに、少なくとも所定の段剥ぎをした電力ケーブルを挿入し、電線や電気機器等と接続可能とし、電線又は／及び相又は／及び回線の識別を可能とする前記蓄光体部を有することを特徴とする。
【００２７】
また、蓄光型端末は、少なくとも前記ひだが最外層に被覆される心材を有し、前記端末は、鉄塔又は／及び電線または付属品と連結される機能と、前記蓄光体部とを有することを特徴とする。
【００２８】
また、蓄光型端末は、少なくとも前記ひだが最外層に被覆される心材を有し、前記心材が中空であって、中空の状態、もしくは、前記心材の内部に所定の部材を設け、電線や電気機器等と接続可能とし、電線又は／及び相又は／及び回線の識別を可能とする前記蓄光体部を有することを特徴とする。
【発明の効果】
【００２９】
本発明によれば、夜間に識別が可能であり電線の位置や電線、相、回線等の視認性を向上できる蓄光型碍子および蓄光型端末を提供することができる。
【発明を実施するための最良の形態】
【００３０】
以下、図面を参照して、本発明の好ましい実施形態を詳細に説明する。
（第１実施形態）
図１は、本発明の好ましい実施形態の蓄光型碍子が装着されている例を示す斜視図である。
【００３１】
図１に示すように、蓄光型碍子1は、架空送電線の相間に取り付けされる相間スペーサ碍子である。蓄光型碍子1は、複導体（２導体）の上側の２本の電線１００と、下側の２本の電線１０１の間に配置されて、これらの上側の２本の電線１００と下側の２本の電線１０１が、最小絶縁間隔より接近、あるいは、接触するのを防止するための間隔を保持する役割を果たしている。この蓄光型碍子1は、電線保護ロッド１２１と、把持金具１２２と、シールドリング１２３を有する構造であり、電線１００と電線１０１の間隔を保持している。このように、本発明の実施形態の蓄光型碍子１は、鉄塔２または電線１００と電線１０１に対して、直接又は間接的に連結する機能を有している。なお、導体の本数には、単導体、４導体、６導体等がある。
【００３２】
図２は、蓄光型碍子1が鉄塔２の腕金の所定位置に取り付けして、１本の電線（単導体）１００、電線１０１、電線１０２が、それぞれ蓄光型碍子1に把持された、懸垂型の鉄塔２の例を示している。また、鉄塔２は、その上方から、送電電流（電圧）を区分けして上相、中相、下相とも称され、これら３つの相を１つの回線として構成される。
【００３３】
図３（Ａ）は、耐張型の鉄塔２に設置された蓄光型碍子1によって電線１００を引き留めして、ジャンパー線１０３により電気的に接続されている例を示している。また、図３（Ｂ）のように、ジャンパー線１０３の振動や横振れの防止のため、中間に蓄光型碍子1Ｃを入れた例である。このように、本発明の実施形態の蓄光型碍子１は、鉄塔２または電線１００や電線１０３に対して、直接又は間接的に連結する機能を有している。
【００３４】
また、図３（Ｃ）は、懸垂方式で電線１００を把持する蓄光型碍子1ｄと、異常電流（電圧）が発生した場合に、電線１００側を保護するため、例えば、図示しない中空の心材の内部に限流素子等を配置して、自身に異常電流（電圧）を通過させる機能を持たせた蓄光型避雷碍子（アレスター碍子ともいう）１ｅを設けた例である（例えば、特開２００４−１５８２２５号公報、特開平６−２０９５１４号公報を参照）。
【００３５】
図４は、蓄光型碍子1の構造例を示す一部断面を有する正面図である。
図４（Ａ）に示す蓄光型碍子1は、ひだ１０と心材１１と端末金具１４を有する碍子である。このひだ１０は少なくとも有機材料からなる。蓄光型碍子１は、受光エネルギーを利用した光を発することで蓄光型碍子１の識別をするための蓄光体部１３を有する。心材１１は、例えばＦＲＰ（繊維強化プラスチック）製であり、ひだ１０は、耐候性を有するゴムやプラスチック等である。
【００３６】
図４（Ａ）に示すひだ１０は、比較的大きなひだ部分１０Ｂと比較的小さなひだ部分１０Ｃが、交互に間隔をおいて長手方向Ｌに沿って形成されている。端末金具１４は、心材１１に固定されている。また、図４（Ｂ）に示すように、端末金具１４は円盤状のフランジ部１４Ｂを有している。
【００３７】
ひだ１０は、電気絶縁性を有する材料、プラスチックまたはゴム等により形成されている。これらの材料としては、例えばシリコンゴム、ＥＰＤＭ（エチレン・プロピレンゴム）、フッ素ゴム、ブチルゴム、ＥＶＡ（エチレンビニールアセテート）、エポキシ樹脂ポリプロピレン、ポリカーボネイト、アクリル樹脂、ＡＢＳ樹脂等、またはこれらの材料の合成物を採用できる。
【００３８】
図４（Ａ）に示すように、蓄光体部１３は、少なくともひだ１０の表面の所定部分である長手方向Ｌに沿った領域Ｇにおいて、受光エネルギーを使用した光を発する蓄光材を混合することで設けられている。すなわち、図４の蓄光体部１３は、ひだ１０の外被部に対して蓄光材を混合した混ぜた上記ゴムまたはプラスチック等から構成されており、蓄光体部１３は、心材１０の外周面を被覆している。このようにすれば、ひだ１０を成形することにより、蓄光型碍子１を得ることができる。さらに、任意の部分に蓄光材を塗布する、または、蓄光材を貼り付けしてよい。
【００３９】
これにより、蓄光型碍子１の発光のボリュームが従来の蓄光電線リングよりも大きくでき、かつ電線間に渡って接続されているので、蓄光型碍子１の夜間における識別が可能であり、視認性が高くなる。また、夜間に電線の位置や、相、回線等を判別することが可能となる。
【００４０】
（第２実施形態）
図５は、本発明の第２実施形態を示している。
図５に示す蓄光型碍子1Ａの構成要素は、図４（Ａ）に示す蓄光型碍子1の構成要素とほとんど同じであるが、蓄光体部１３Ａの形成の方式が異なる。
図５（Ａ）に示す蓄光体部１３Ａは、少なくともひだ１０の表面の所定部分である長手方向Ｌに沿った領域Ｇに、受光エネルギーを使用した光を発する蓄光材１３Ｈを、ゴムまたはプラスチック等からなる下地部材１０Ｍの所定箇所に貼り付けるか塗布する、または、蓄光材を混合したゴムまたはプラスチック等で構成されている。
【００４１】
すなわち、蓄光材１３Ｈがひだ１０の下地部材１０Ｍの外周面に対して塗布されるか、または貼り付けられる、または、蓄光材を混合したゴムまたはプラスチック等で覆うことにより配置され、蓄光材１３Ｈが下地部材１０Ｍの外周面において蓄光型材料により被覆したようになっている。このため、ひだ１０は、下地部材１０Ｍと蓄光材１３Ｈの多重構造になっている。
【００４２】
なお、蓄光材１３Ｈは、例えば図５（Ｂ）に示すように、ひだ１０の軸方向Ｌに関して部分１０Ｓが緑色系の蓄光であり、残りの部分１０Ｔが黄色系の蓄光に発光する、つまり、複数の蓄光色を任意部分に設けてよい。また、図示しない、任意の部分を蓄光材の塗布や貼り付けをしない、または、蓄光材を混合したゴムまたはプラスチック等で覆わない部分、つまり、自然色のゴムまたはプラスチック等を用いて蓄光しない部分を設けてもよい。
【００４３】
また、下地部材１０Mのみの状態で、電気的な絶縁を保つような設計をしてよい。当然に、下地部材１０Ｍの所定箇所に貼り付けるか塗布する、または、所定箇所を蓄光材を混合したゴムまたはプラスチック等で構成したうえで、電気的な絶縁を保つような設計をしてよい。
【００４４】
これにより、蓄光型碍子1Ａの発光のボリュームが従来の蓄光電線リングよりも大きくでき、かつ電線間に渡って接続されているので、蓄光型碍子１Ａの夜間における識別が可能であり、視認性が高くなる。また、夜間に電線の位置や、相、回線等を判別することが可能となる。
【００４５】
（第３実施形態）
図６は、本発明の第３実施形態を示している。
図６に示す蓄光型碍子1Ｂの構成要素は、図４（Ａ）に示す蓄光型碍子1の構成要素とほとんど同じであるが、蓄光体部１３Ｂの形成の方式が異なる。ひだ１０の少なくとも所定部分である領域Ｇは、透光性を有する材料すなわち半透明あるいは透明の有機材料で成形されている。心材１１の領域Ｇの範囲に対応する部分には、蓄光材１３Ｈが配置されていることにより、心材１１の領域Ｇには蓄光体部１３Ｂが形成されている。
【００４６】
これにより、蓄光型碍子1Ｂは、透光性を有するひだ１０を通して外部に発光でき、蓄光型碍子1Ｂの発光のボリュームが従来の蓄光電線リングよりも大きくでき、かつ電線間に渡って接続されているので、蓄光型碍子１Ｂの夜間における識別が可能であり、視認性が高くなる。
【００４７】
なお、蓄光体部１３Ｂは、蓄光材を心材１１に塗布や貼り付けたものでよい。また、粉体や流体の蓄光材を袋体に入れ心材１１に貼り付けや巻き付けたものや、蓄光材をシート状としたものを貼り付けや巻き付けたものとしてよい。または、ひだ１０側のゴムやプラスチック等に、粉体や流体の蓄光材を注入できる空洞を設けたものでよい。さらに、ひだ１０を透光性の材料から選択して、任意の位置に中空部を設け、粉体や流体の蓄光材を注入して蓄光体部としてよい。また、中空部に、蓄光材を混合した樹脂を注入して、硬化させることにより蓄光体部としてよい。
【００４８】
（第４実施形態）
図７は、本発明の第４実施形態を示している。
図７に示す蓄光型碍子1Ｃの構成要素は、図６に示す蓄光型碍子1の構成要素とほとんど同じであるが、蓄光体部１３Bの形成の方式が異なる。蓄光体部１３Ｃは、心材１１の所定部分であるひだ１０に対応する領域Ｇに、長手方向Ｌに沿って全体にあるいは一部に畜光材１３Ｈを配置することで構成されている。心材１１の領域Ｇに対応するひだ１０の部分は、透光性を有する材料すなわち半透明あるいは透明の有機材料で成形されている。
【００４９】
この場合には、畜光材１３Ｈは、心材１１の長手方向Ｌに沿って間隔をおいて形成されている。すなわち、心材１１の長手方向Ｌに沿って畜光材１３Ｈの畜光する部分の色１３Ｍおよび／または畜光しない部分１３Ｆとの組み合わせを構成している。この組み合わせを用いることにより、夜間における識別が可能になる。
【００５０】
この蓄光材１３Ｈが、固形材料やシート状の材料である場合には、心材１１の外周面に貼り付けや巻き付けることで、畜光する色の部分１３Ｍを配置する。また、蓄光材１３Ｈが、粉体や流体の場合には、袋体に蓄光材１３Ｈを入れた物を心材１１の外周面に貼り付けや巻き付けることで、畜光する色の部分１３Ｍを配置する。または、ひだ１０側のゴムやプラスチック等に、粉体や流体の蓄光材を注入できる空洞を任意の部分に設けたものでよい。さらに、ひだ１０を透光性の材料から選択して、任意の位置に中空部を設け、粉体や流体の蓄光材を注入して蓄光体部としてよい。また、中空部に、蓄光材を混合した樹脂を注入して、硬化させることにより蓄光体部としてよい。
【００５１】
これにより、蓄光型碍子1Ｃはひだ１０を通して外部に発光でき、蓄光型碍子1Ｃの発光のボリュームが従来の蓄光電線リングよりも大きくでき、かつ電線間に渡って接続されているので、蓄光型碍子１Ｃの夜間における識別が可能であり、視認性が高くなる。また、夜間に電線の位置や、相、回線等を判別することが可能となる。
【００５２】
図８（Ａ）は、本発明のさらに別の実施形態を示しており、図４（Ａ）に示す蓄光型碍子1の構成要素とほぼ同じであるが、端末金具１４Ｒの形状が異なる。この端末金具１４Ｒは、穴１４Ｌを有する長手方向Ｌに突出して金具である。
また、図８（Ｂ）と図８（Ｃ）は、本発明のさらに別の実施形態を示しており、図８（Ｃ）は図８（Ｂ）におけるＫ―Ｋ’線における断面図である。この実施形態では、心材１１は中空を有する円筒状である。例えば、両端にフランジを付けて碍管として用いられる（例えば、特開２００１−１２６５６２号公報を参照）。
【００５３】
さらに、図８（Ｄ）に示す蓄光型端末１Ｒは、心材を無くしたもの構造であり、つまり、全てがゴム又はプラスチック等で成形したものであり、所定の段剥ぎ等をした電力ケーブル３０（外部引出導体３１、ケーブル導体３２、絶縁被覆３３、外部半導電層３４、被覆３５）が挿入される。なお、内部に挿入する電力ケーブルの構造や電気的設計により、蓄光型端末１Ｒの大きさやひだ２０の形状・個数等が任意に設計される。また、内部に所定の部材、電界緩和をするためのゴム又はプラスチック等からなる電界緩和部材２１（ストレスリリーフコーン等）を設けてよい。
【００５４】
これら、図８（Ｂ）に示す蓄光型碍子１Ｆや図８（Ｄ）に示す蓄光型端末１Ｒは、例えば、後述する図９（Ｃ）に示すように、電力ケーブルの端末部として、鉄構２００に設置され、電線や電気機器等と接続するために用いられる（例えば、特開２００８−０２７８２８号公報を参照）。
【００５５】
図９（Ａ）、図９（Ｂ）、図９（Ｃ）は、本発明のさらに別の実施形態を示している。
蓄光体部が同じ色を畜光をする場合には、各蓄光型碍子１では相互に畜光をする箇所を変えることにより、各蓄光型碍子１の識別が可能になる。
【００５６】
図９（Ａ）では、蓄光型碍子１の全体領域Ｇが畜光される部分であるものと、領域Ｇ６が畜光される部分である例を示している。
【００５７】
図９（Ｂ）は、さらに別の実施形態を示している。図９（Ｂ）の例では、蓄光型碍子１の領域Ｇ１，Ｇ４，Ｇ５，Ｇ７が畜光される部分であるが、領域Ｇ２，Ｇ３，Ｇ６が畜光しない部分である。このように、畜光される部分と畜光しない部分の組み合わせを作ることにより、送電線の識別が可能になる。
【００５８】
図１に示すように、蓄光型碍子１を相間に取り付けることにより、電線の位置や、相、回線等の識別が可能になる。なお、このように、畜光される部分と畜光しない部分の組み合わせは、本発明の各実施形態において適用することができる。
【００５９】
図９（Ｃ）は、本発明のさらに別の実施形態を示している。蓄光型端末の例として、鉄構２００に、電力ケーブル２０１を電線や電気機器等と接続するための端末部２０３が配置されている。それら、畜光型端末部２０３が蓄光体部を有しており、受光エネルギーを利用して発光することにより電線の位置や、相、回線等の識別をすることができる。
【００６０】
ところで、例えば図４に示す実施形態において、例えば、長手方向に異なる色の蓄光材を混合した材料を、分割して成形することにより、図９に示すような蓄光型碍子を得ることができる。なお、射出成形時に、対向する位置から、蓄光材を混合した材料を注入させて作ることができ、この場合、異なる色の界面付近では、異なる色の蓄光材を混合した材料が互いに混ざった状態で蓄光型碍子を製造してもよい。
【００６１】
また、例えば図５に示す実施形態において、蓄光体部は、ひだ１０の少なくとも所定部分が、上層及び下層を自然色または半透明あるいは透明な有機材料で成型し、心材の所定部分を受光エネルギーを利用して光を発するようにして、蓄光型碍子１の識別をするための蓄光体部を構成してもよい。
本発明の各実施形態の蓄光型碍子を、電線１００や鉄鋼２００に取りつけられることで、識別が可能になる。
【００６２】
本発明の各実施形態における蓄光材の材質としては、受光エネルギーを利用した光を発することで蓄光型碍子の識別をするものであれば特に限定されない。蓄光材の材質としては、太陽光や照明の光等の受光エネルギーを蓄積して、暗所で発光する材質、例えば硫化亜鉛系、珪酸亜鉛系、硫化亜鉛カルシウム系、硫化ストロンチウム系等が挙げられる。蓄光材の材質としては、耐水性を有する畜光性を備える蛍光体を採用できる。
【００６３】
本発明の各実施形態の蓄光型碍子並びに蓄光型端末は、蓄えた太陽光等の光エネルギーを光として放出することにより、夜間において電線が存在することが識別でき、例えば飛行機等を操縦する人間のみならず鳥獣にも認識できる。また、蓄光型碍子並びに蓄光型端末は、夜間に電線の位置や、相、回線等を判別することが可能となる。
【００６４】
本発明の各実施形態の蓄光型碍子並びに蓄光型端末は、予め工場において少なくともひだに畜光機能を持たせたり、心材に対して畜光機能を持たせることができる。あるいは、現場で、蓄光材料を塗布したり、貼り付けや巻き付けたりしてよい。
【００６５】
ところで、本発明は、上記実施形態に限定されず種々の変形例を採用できる。
本発明の各実施形態は、任意に組み合わせて構成することも可能である。
【図面の簡単な説明】
【００６６】
【図１】本発明の好ましい実施形態が装着されて上下の電線の接触防止をする役割を果たしている様子を示す斜視図である。
【図２】本発明の実施形態の蓄光型碍子が取り付けられた他の例を示す図である。
【図３】本発明の実施形態の蓄光型碍子が取り付けられた他の例を示す図である。
【図４】本発明の好ましい第１実施形態の蓄光型碍子を示す一部断面を有する正面図である。
【図５】本発明の好ましい第２実施形態の蓄光型碍子を示す一部断面を有する正面図である。
【図６】本発明の好ましい第３実施形態の蓄光型碍子を示す一部断面を有する正面図である。
【図７】本発明の好ましい第４実施形態の蓄光型碍子を示す一部断面を有する正面図である。
【図８】本発明の好ましい実施形態の蓄光型碍子を示す一部断面を有する正面図である。
【図９】本発明の好ましい実施形態を示す図である。
【符号の説明】
【００６７】
１            蓄光型碍子
１ｅ          蓄光型避雷碍子
１０          ひだ
１０Ｍ        下地部材
１１          心材
１３          蓄光体部
１３Ｈ        蓄光材
１４          端末金具
１００，１０１電線
Ｇ            領域
【図１】
2009230878.tif 000003
【図２】
2009230878.tif 000004
【図３】
2009230878.tif 000005
【図４】
2009230878.tif 000006
【図５】
2009230878.tif 000007
【図６】
2009230878.tif 000008
【図７】
2009230878.tif 000009
【図８】
2009230878.tif 000010
【図９】
2009230878.tif 000011